(57)【要約】  照明器具および構造体が、電気駆動装置を照明パネルから離間する目的で説明される。この方法では、駆動装置を収容する駆動装置箱が、照明パネルから離間されて前から存在する設備（たとえば電気配線）と連通することができ、構造体上に堆積することがある貯留水が駆動装置箱に入るのを防ぐという付加的な利点を提供することができる。【選択図】図１
2013539194.tif 000002
【特許請求の範囲】
【請求項１】
開口部の上方に引き上げられた設備を有する構造体内の前記開口部内に取り付けるための照明器具であって、
１つまたは複数の光源を含む照明パネルと、
前記１つまたは複数の光源に電気的に結合された駆動装置を収容するための駆動装置箱と、
前記照明パネルと前記駆動装置箱の間の、前記駆動装置箱を前記照明パネルから離間するように構成された引き上げ装置と
を備える照明器具。
【請求項２】
前記設備が、電気供給配線を含む、請求項１に記載の照明器具。
【請求項３】
前記構造体が天蓋である、請求項１に記載の照明器具。
【請求項４】
前記引き上げ装置が、前記駆動装置箱を前記設備と電気連通させて配置することを容易にする、請求項１に記載の照明器具。
【請求項５】
前記引き上げ装置が、前記駆動装置箱を、異なる照明器具との連通のために事前に取り付けられた設備と電気連通させて配置することを容易する、請求項１に記載の照明器具。
【請求項６】
前記１つまたは複数の光源のうちの少なくとも１つが、ＬＥＤを含む、請求項１に記載の照明器具。
【請求項７】
前記引き上げ装置の前記少なくとも１つの寸法が、調整可能である、請求項１に記載の照明器具。
【請求項８】
装着板をさらに備える、請求項１に記載の照明器具。
【請求項９】
照明器具を、画定された開口部および既存の設備を備えた既存の構造体に取り付ける方法であって、前記照明器具が、１つまたは複数の光源を含む照明パネルと、前記１つまたは複数の光源に電気的に結合された駆動装置を収容するための駆動装置箱と、引き上げ装置とを備え、前記方法が、
ａ）前記既存の設備と連通するために前記照明パネルから前記駆動装置箱が離間される必要がある距離を特定するステップと、
ｂ）前記駆動装置箱を前記距離だけ前記照明パネルから離間することを容易にするために、前記引き上げ装置のサイズを調整するステップと
を含む、方法。
【請求項１０】
前記引き上げ装置を前記照明パネルに固定するステップをさらに含む、請求項８に記載の方法。
【請求項１１】
前記引き上げ装置を前記駆動装置箱に固定するステップをさらに含む、請求項８に記載の方法。
【請求項１２】
前記設備が電気配線である、請求項８に記載の方法。
【請求項１３】
前記駆動装置箱を前記設備に連結するステップをさらに含む、請求項８に記載の方法。
【請求項１４】
前記構造体が天蓋である、請求項８に記載の方法。
【請求項１５】
前記１つまたは複数の光源のうちの少なくとも１つが、ＬＥＤを含み、前記駆動装置箱が、駆動装置を収容して前記ＬＥＤに電力供給する、請求項８に記載の方法。
【請求項１６】
前記設備が、電気導管内の電気配線を備え、前記引き上げ装置のサイズを調整する前記ステップが、前記駆動装置箱を前記距離だけ前記照明パネルから離間するよう適正にサイズ設定されるように前記引き上げ装置を切断するステップを構成する、請求項８に記載の方法。
【請求項１７】
構造体内に取り付けるための照明器具であって、
１つまたは複数の光源を含む照明パネルと、
前記光源に電力を通すための電気要素を収容するための駆動装置箱と、
前記照明パネルと前記駆動装置箱の間の、前記駆動装置箱が前記構造体の上面から離間されるように前記駆動装置箱を前記照明から離間する引き上げ装置と
を備える、照明器具。
【請求項１８】
前記構造体が天蓋である、請求項１７に記載の照明器具。
【請求項１９】
前記１つまたは複数の光源のうちの少なくとも１つが、ＬＥＤを含む、請求項１７に記載の照明器具。
【請求項２０】
装着板をさらに備える、請求項１７に記載の照明器具。
【発明の詳細な説明】
【技術分野】
【０００１】
関連出願
[0001]本願は、２００７年１０月２４日出願の米国特許仮出願第６０／９８２，２４０号の優先権を主張する２００８年１０月２０日出願の表題「Ａｄｊｕｓｔａｂｌｅ  Ｌｉｇｈｔｉｎｇ  Ａｐｐａｒａｔｕｓ」の米国特許出願第１２／２５４，１０７号の一部継続出願である、２０１０年３月２４日出願の表題「Ｌｉｇｈｔｉｎｇ  Ａｐｐａｒａｔｕｓ  ａｎｄ  Ｃｏｎｎｅｃｔｏｒ  Ｐｌａｔｅ」の米国出願第１２／７３１，０７７号の一部継続出願である２０１０年１０月８日出願の米国特許出願第１２／９００，８１１号の利益を主張するものであり、これらの関連出願の各々の内容全体は、参照によって本明細書に組み込まれる。
【背景技術】
【０００２】
[0002]時に「照明装置」と称される照明パネルは、通常、たとえばガソリンスタンド、コンビニエンスストアおよびドライブスルーレストランの外部照明装置を含む多くの用途において下向きおよび外向きの光の分散をもたらすように設計されている。天蓋照明装置は通常、水平天井または天蓋支持構造に取り付けられた箱様の天蓋固定物筺体を含んで、天蓋照明装置の照明構成要素および関連構造を封入し、支持する。天蓋照明装置の照明構成要素は、高輝度放電（ＨＩＤ）ランプに電気的に結合された、安定抵抗器、蓄電器および点火装置などの電気制御要素を含む。ランプは通常、天蓋固定物内のランプソケット内に水平に装着され、反射体がランプの発光部分の上方に設けられて、ランプを封入するガラスまたはプラスチックレンズ組立体を通して下向きに光を分散する。
【０００３】
[0003]天蓋照明装置の取り換えまたは変更は、一般には、照明装置の既存の照明構成要素および関連構造のいくつかまたはすべてを既存の天蓋固定物筺体から取り外して、取り換え用の照明装置を取り付けるための十分な場所を固定物筺体内にもたらす必要がある。従来、取り換え用の天蓋照明装置は、分解された構成要素として製造者から発送されており、この構成要素は、後で天蓋固定物筺体内に個々に装着され配線される。しかし、別個の組み込み用の照明装置構成要素を既存の天蓋固定物の取り付け設備に取り付け配線することは、天蓋固定物が、一般的に、はしごによってのみ接近可能であるために、複雑で時間がかかる工程であることが理解されよう。どのような場所または現場でも１０以上の天蓋照明装置の取り換えまたは変更が必要とされ得るため、既存の天蓋照明装置の別個の組み込み構成要素を取り付け、装着し、配線することに関連付けられる難しさは、著しく増大する。
【発明の概要】
【発明が解決しようとする課題】
【０００４】
[0004]したがって、従来の照明装置組立体は、既存の天蓋照明装置または他の天蓋固定物筺体内に組み込むには複雑で面倒なものである。
【課題を解決するための手段】
【０００５】
[0005]本開示のこの概要および以下の詳細な説明の両方は、例示的および説明的なものであり、本開示の範囲を限定することは意図されないことを理解されよう。さらには、本明細書で使用される用語に関して、単数の要素の参照は、具体的に述べられない限り、「唯一」を意味するのではなく「１つまたは複数」を意味することが意図される。用語「いくつか」は１つまたは複数を指し示す。下線が引かれたおよび／またはイタリック体の見出しおよび小見出しは、便宜上使用されるだけで、本開示を限定するのではなく、本開示の説明の解釈に関連付けて参照されるものではない。
【０００６】
[0006]本開示の態様および実施形態は、照明器具を提供することによって先に説明された問題に対処するものであり、この照明器具は、器具の駆動装置箱を、電力などの前から存在する設備に隣接して配置することを容易にするよう取り付けるように適合されている。照明器具は、１つの実施形態では、前から存在する装着体内に取り付けるように構成されていることが可能であり、この装着体は、前から存在する照明器具に合わせて構成された設備を有する。別の実施形態では、照明器具は、器具の１つまたは複数の光源を駆動するための駆動装置箱を備え、この駆動装置箱は、前から存在する照明器具のために事前に取り付けられた設備を受け入れるように配置される。１つの例では、この実施形態は、照明器具内の発光ダイオード（ＬＥＤ）を駆動するための駆動装置箱を設けることも含むことができ、この駆動装置箱は、前から存在する高輝度放電（ＨＩＤ）器具または他のタイプの照明の設備を受け入れるように配置される（たとえば引き上げられる）。
【０００７】
[0007]たとえば、本開示の１つの態様では、照明器具は、天蓋内の開口部の上方に引き上げられた前から存在する給電線を有する、天蓋内に取り付けるように構成されている。照明器具は、照明パネルと駆動装置箱の間に引き上げ装置を含んで、駆動装置箱を引き上げ、引き上げられた給電線の高度に適応させることができる。
【０００８】
[0008]本開示の別の態様では、天蓋などの構造体に取り付けるための照明器具は、照明器具の１つまたは複数の光源を駆動するための駆動装置箱を含むことができ、このとき駆動装置箱は、構造体から分離されるように光源および構造体から離間される。構造体が天蓋であるとき、駆動装置箱のこの間隔は、駆動装置箱を、水（たとえば雨水）が溜まり得る天蓋の最も上側表面から引き上げ、したがって溜まり水が駆動ボックスに入るのを防ぐ。
【０００９】
[0009]本開示の別の態様は、照明器具を、筺体を有する既存の固定物内に取り付ける方法を対象とし、この筺体は、その下側端部に、固定物筺体内の開口部を取り囲み画定する内向きに向けられたフランジを備え、固定物筺体は、さらに、導線の第１の組によって電源に結合された安定抵抗器と、導線の第２の組によって安定抵抗器に結合された第１のランプソケットと、第１のランプソケット内に装着されたランプと、反射体と、開口部を覆うレンズ組立体とを有する。本方法は、固定物筺体からレンズ組立体を取り外して、筺体内の開口部を通して筺体の内部を露出させるステップを含むことができる。安定抵抗器に結合された導線の第１の組は接続解除され得る。ランプおよび反射体は、固定物筺体から取り外され得る。上面および下面と、外側周囲と、内側周囲によって画定された開口とを含む装着板が、提供され得る。装着板は、筺体のフランジに押し付けて嵌合され、これに連結されるように適合され得る。照明ユニットまたは照明装置を含む照明パネルが、提供され得る。電力制御ユニットおよび引き上げ装置の両方が、開口を通して挿入されることが可能であり、この場合、電力制御ユニットは、照明ユニットを作動させ、照明ユニットに電気的に結合され、引き上げ装置は、電力制御ユニットと照明パネルの間にあり、開口を通して電力制御ユニットを支持するように構成され、照明電力ユニットを筺体内に存在する電気ケーブルに結合することを可能にする。
【００１０】
[0010]本発明の別の態様は、開口部の上方に引き上げられた設備を有する構造体内の開口部内に取り付けるための照明器具であって、１つまたは複数の光源を含む照明パネルと、１つまたは複数の光源に電気的に結合された駆動装置を収容するための駆動装置箱と、照明パネルと駆動装置箱の間の、駆動装置箱を照明パネルから離間するように構成された引き上げ装置とを備える、照明器具を備える。これらの設備は、電気供給配線でもよい。構造体は天蓋でもよい。引き上げ装置は、駆動装置箱を設備と電気連通させて配置することを容易にすることができる。引き上げ装置は、駆動装置箱を、異なる照明器具との連通のために事前に取り付けられた設備と、電気連通させて配置することを容易にすることができる。１つまたは複数の光源の少なくとも１つは、ＬＥＤを含むことができる。引き上げ装置の少なくとも１つの寸法は、調整可能な場合もある。
【００１１】
[0011]本発明のさらに別の態様は、照明器具を、画定された開口部および既存の設備を備えた既存の構造体に取り付ける方法であって、照明器具が、１つまたは複数の光源を含む照明パネルと、１つまたは複数の光源に電気的に結合された駆動装置を収容するための駆動装置箱と、引き上げ装置とを備え、方法が、ａ）既存の設備と連通するために照明パネルから駆動装置箱が離間される必要がある距離を特定するステップと、ｂ）駆動装置箱をその距離だけ照明パネルから離間することを容易にするために、引き上げ装置のサイズを調整するステップとを含む、方法を含む。引き上げ装置は照明パネルに固定されてもよい。引き上げ装置は駆動装置箱に固定されてもよい。設備は電気配線でもよい。駆動装置箱は設備に連結されてもよい。構造体は天蓋でもよい。１つまたは複数の光源の少なくとも１つは、ＬＥＤを含むことができ、駆動装置箱はＬＥＤに電力供給する駆動装置を収容することができる。設備は、電気導管内の電気配線を含むことができ、引き上げ装置のサイズは、駆動装置箱を照明パネルからその距離だけ離間するよう適正にサイズ設定されるように引き上げ装置を切断することによって調整されてもよい。
【００１２】
[0012]本発明の追加の態様は、構造体内に取り付けるための照明器具であって、１つまたは複数の光源を含む照明パネルと、電流を光源まで通すための電気要素を収容するための駆動装置箱と、照明パネルと駆動装置箱の間の、駆動装置箱が構造体の上面から離間されるように駆動装置箱を照明パネルから離間する引き上げ装置とを備える、照明器具を備える。構造体は天蓋でもよい。１つまたは複数の光源の少なくとも１つは、ＬＥＤを含むことができる。照明器具は装着板を備えることができる。
【００１３】
[0013]前述の実施形態および態様は、任意の実用的な組合せで組み合わされ、または配置され得ることが理解されよう。本開示の実施形態の他の特徴は、本明細書における説明、図、および特許請求の範囲から明らかになる。
【００１４】
[0014]本開示の態様は、例示的な性質であり限定的ではないとみなされる添付の図と一緒に読み取ることにより、以下の説明からより完全に理解され得る。図は原寸通りである必要はなく、その代わりに本開示の原理に重点が置かれる。
【図面の簡単な説明】
【００１５】
【図１】[0015]本開示の例示的な実施形態による、照明器具の１つの実施形態の分解図である。
【図２】[0016]図２Ａは、本開示の例示的な実施形態による、照明器具を示す図であり、図２Ｂは、本開示の例示的な実施形態による、照明器具を示す図であり、図２Ｃは、本開示の例示的な実施形態による、照明器具を示す図である。
【図３】[0017]本開示の例示的な実施形態による、安定抵抗器を備えた連結板の斜視図である。
【図４】[0018]本開示の例示的な実施形態による、外部装着パネル上に取り付けられた照明パネルを示す平面図である。
【図５】[0019]図１の器具の断面図である。
【図６】[0020]図１の器具の別の断面図である。
【図７】[0021]図７Ａは、本開示の例示的な実施形態による、連結板の上面図であり、図７Ｂは、本開示の例示的な実施形態による、連結板の底面図である。
【図８】[0022]図８Ａは、本開示の例示的な実施形態による、外部装着パネルの上面図であり、図８Ｂは、本開示の例示的な実施形態による、外部装着パネルの底面図である。
【図９】[0023]照明パネルおよび照明器具が装着される構造体から離間された駆動装置箱を備える、本開示の例示的な実施形態による照明器具の分解斜視図である。
【図１０Ａ】[0024]装着板無しの図９の照明器具の左側立面図である。
【図１０Ｂ】[0025]装着板無しの図９の照明器具の正面図である。
【発明を実施するための形態】
【００１６】
[0026]特定の実施形態が図に示されているが、当業者は、示された実施形態が例示的なものであり、示されたこれらの変形形態、ならびに本明細書で説明された他の実施形態が、本開示の範囲内で想定され実施され得ることを理解するであろう。したがって、図および詳細な説明は、例示的な性質のものであり、制限的ではないとみなされるものとする。
【００１７】
[0027]以下の詳細な説明では、数多くの特有の詳細が、本開示の態様および実施形態の完全な理解をもたらすために記載される。しかし、本開示の態様および実施形態は、これらの特有の詳細を有することなく実施可能であることが当業者に明らかになるであろう。他の場合では、よく知られた構造および技術は、理解を容易にするほど詳細には示されない。
【００１８】
[0028]本開示の実施形態は、筺体内に取り付けるように適合された照明器具を対象とする。筺体は、高輝度放電（ＨＩＤ）または他のタイプの照明に取り付けられるものなどの前から存在するものになることができる。照明器具は、所望のタイプの光源（複数可）、たとえばＬＥＤの配列などを備えた照明ユニット（たとえば照明装置）を含むことができる。照明器具は、筺体と共に使用されるように適合された構造を含むことができ、それにより、照明ユニットの取り付けは最小限のユーザ努力および時間しか必要としない。したがって、そのような照明器具および関連する取り付け方法は、高効率の照明の取り付けおよび使用を実現することができる。
【００１９】
[0029]図１は、本開示の例示的な実施形態による、照明器具１００の分解図である。照明器具１００は、１つまたは複数の光源を含む照明パネル（または照明装置）１１０と、外部装着板１３０と、筺体１５０を嵌合するように適合された内部装着パネルまたは「連結板」１４０とを含む。照明パネル１１０は、いくつかの光源、たとえば市販されているＬＥＤの配列、ならびに光源を保護するおよび／または光出力を方向付ける／集束するための任意選択の光学部品（図示されず）を含む、照明ユニット１２０を含むことができる。
【００２０】
[0030]筺体１５０は、図示されるようにフランジ１５２および天蓋１５４を有することができる。フランジ１５２は、図示されるように内向きに突出する表面１５３を有することができる。表面１５３は、天蓋１５４から（垂直におよび／または水平に）離間されてもよい。任意選択の水分隠蔽体１５８もまた示され、図６でも示される。示された水分隠蔽体１５８は、駆動装置を筺体１５０から滴下する水分から保護する。代替の実施形態（図示されず）では、任意選択の水分隠蔽体は、逆Ｕ字形の遮蔽体によって設けられ、この遮蔽体は、装着パネルに装着されたＵ字の脚部を有し、それにより、Ｕ字の基部は駆動装置の上側を全体的に覆って水分が駆動装置上に滴下することを防止し、一方で駆動装置の２つの側部（１つの実施形態では縦長の側）は空気に開放したままにして冷却を可能にする。照明パネル１１０は、外部装着板１３０および連結板１４０によって筺体１５０に嵌合または連結され得る。外部装着パネル１３０は、所望の数の締結具、たとえば図示されるようなねじ１１６によって連結板１４０に連結され得る。連結板１４０は、開口１４１を含み、筺体１５０のフランジ１５２および／または１５３と嵌合するように適合され、筺体１５０に適合されている。連結板１４０は、いくつかの締結具構造１４９、たとえばねじ１４２またはボルト等を受け入れるための（ねじ切りされたまたはねじ切りされていない）表面または開口を含む。締結具構造１４９は、連結板１４０上の所望の場所、たとえば図示されるような外側周囲および内側周囲の周りに位置することができる。
【００２１】
[0031]照明ユニット１２０は、任意の適切なタイプのものとすることができる。例示的な実施形態は、ＬＳＩ  Ｉｎｄｕｓｔｒｉｅｓ  Ｉｎｃ．によって入手可能にされるＣＲＯ  ＬＥＤ１００ユニットを含むことができる。他の適切な照明ユニット、および関連する駆動装置または電力制御ユニット（本明細書では「駆動装置」と交換可能に使用される）は、２００９年１０月２０日出願の、表題「Ｓｏｌｉｄ  Ｓｔａｔｅ  Ｌｉｇｈｔｉｎｇ，  Ｄｒｉｖｅｒ  Ｃｉｒｃｕｉｔｓ，ａｎｄ  Ｒｅｌａｔｅｄ  Ｓｏｆｔｗａｒｅ」の共同所有の米国特許出願第１２／５８２，６５４号に説明されており、その内容全体は、参照によって本明細書に組み込まれる。
【００２２】
[0032]組み立てられたとき、照明パネル１１０は、外部装着板１３０および連結板１４０によって筺体１５０に連結され得る。封止剤１５６が、たとえばフランジ１５２周りの縁および天蓋１５４上の縁内に塗布されて、筺体１５０に対する連結板１４０の封止を容易にすることができる。任意の適切な封止剤、たとえばＲＴＶコンパウンドまたはシリコーンベースのコンパウンドなどが使用されてもよい。照明パネル１１０の関連する安定抵抗器または駆動装置（図示されず）は、連結板１４０の開口部または開口１４１内に配置され得る。連結板１４０自体は、所望の数の連結部／締結具１４２、たとえば６つのねじによって筺体１５０に取り付け可能であり、このとき３つの＃１０ねじは既存の自己係止金属薄板受け部または弾性クリップ（たとえばいわゆる「Ｔｉｎｎｅｒｍａｎ」クリップ）を通って置かれ、３つの自己穿孔＃１０ねじは図示されるように使用される。
【００２３】
[0033]引き続き図１を参照すれば、たとえば組み込み品の取り付け中、安全性を付加し、取り付け工程を容易にするために、安全フック１４４（または留め具）が、図示されるように連結板１４０上に存在してもよい。取り付け時、外部装着パネル１３０および照明パネル１１０に連結された安全ケーブル１４６（または繋留具）が、フック１４４に掛けられて、連結板１４０および筺体１５０が照明パネル１１０の重量を保持することを可能にすることができる。たとえば取り付け中、照明ユニット１１０（たとえばＬＥＤユニット）およびこれに取り付けられた駆動装置装着板（たとえば図２の板２６２）を有する外部（または外側）装着パネル１３０は、取り付けの配線部分が行われる間、鋼繋留具１４６および留め具１４４によって一時的に連結板１４０に保持され得る。その後、外部装着パネル１３０は、定位置に進められ、締結具、たとえば（４つの）＃１０ねじによって連結板に取り付けられて取り付けを完了することができる。安全クリップ１４８が、たとえば取り付け作業者によって連結板１４０を筺体１５０に固定するために存在してもよく、取り付け作業者は、安全クリップを筺体１５０の内面の上方にかつこれに押し付けて曲げる。外部装着板１３０自体は、取り付け工程の容易さ（速度を含む）および安全性を促すための特徴を有することもできる。たとえば、一部の用途では、外部装着板１３０は、１つまたは複数の鍵穴の長穴１３２を（好ましくは図示されるように対向するコーナに）有することができ、それによって外部装着板１３０および照明パネル１１０を連結板１４０および筺体１５０にすばやく掛けることを可能にする。
【００２４】
[0034]例示的な実施形態では、筺体、たとえば図１の筺体１５０は、高輝度放電（ＨＩＤ）照明に使用されるものなどの前から存在する筺体とすることができる。一般的なタイプのＨＩＤ筺体は、それだけに限定されないが、ＬＳＩ  Ｉｎｄｕｓｔｒｉｅｓ  Ｉｎｃ．によって販売されているいわゆるＲｉｃｈｍｏｎｄ（または「ＲＩＣ」）筺体、Ｈｕｂｂｅｌｌ  Ｌｉｇｈｔｉｎｇ  Ｉｎｃ．によって販売されているいわゆるＷｈｉｔｅｗａｙ  Ｃｉｖｉｃ  （「ＣＶＣ」）筺体、およびＪｅｔ−Ｐｈｉｌｌｉｐｓ  Ｌｉｇｈｔｉｎｇによって販売されているＩｃｏｎ筺体を含む。当然ながら、本開示の実施形態は、任意の他の適切なタイプの筺体と共に使用され得る。
【００２５】
[0035]図２は、本開示の例示的な実施形態による、照明器具組立体２００を示す３つの図（Ａ）〜（Ｃ）を含む。図（Ａ）は、組立体２００の上面図を示しており、組立体は、照明パネル２１０と、外部装着パネル２３０と、取り付けられた駆動装置（電力制御ユニット）２６０を備え駆動装置板２６２を支持する連結板２４０とを含む。図（Ｂ）〜（Ｃ）は、（Ａ）の直交する側面図を示しており、１つは器具２００の長軸に対して垂直のものであり、１つは器具２００の短軸に対して垂直のものである。
【００２６】
[0036]図２に示されるように、外部装着パネル２３０は、たとえば、中心のねじ切りされた連結部２７０およびねじ切りされた連結部２７２（４つのうちの２つのみが示される）によって連結板２４０および照明パネル２１０にも連結され得る。中心のねじ切りされた連結部２７０は、中空であることができ、照明パネル２１０と駆動装置２６０の間の電気接続を容易にする。駆動装置２６０は、支持表面、たとえば駆動装置板２６２上に支持され得る。任意選択の水分隠蔽体２４８および２４９が存在してもよい。図（Ｂ）および（Ｃ）に示されるように、ガスケット２７４が存在して、組立体２００の改善された封止をもたらすことも可能である。
【００２７】
[0037]図２はまた、連結板２４０が１つまたは複数のタブまたはフランジ２４８を含むことができ、このときその支持表面は、関連する筺体フランジの内面（たとえば図１の表面１５３）と（たとえば締結具２４８’によって）対合するように適合されていることを示している。
【００２８】
[0038]図３は、図２の組立体２００の斜視図を示している。この図は、連結板２４０および駆動装置板２６２に連結された外部装着板２３０を示している。任意選択の接地用ストラップ２８０も示されている。
【００２９】
[0039]図４は、本開示の例示的な実施形態による照明パネル組立体４００を示す平面図である。照明パネル組立体４００は、１つまたは複数の光源を含む照明パネル４１０を含むことができる。図では、照明パネル４１０は、外部装着板４３０上に取り付けられて示されている。照明パネルは、光源を保護するための光学部品４２０を含むことができる。例示的な実施形態では、光源は、図示されるように、ＬＥＤの配列４１２を含むことができる。
【００３０】
[0040]図５は、筺体天蓋１５４の側部Ａ〜Ｂに平行な切断平面に沿って切り取られた、図１の器具１００の断面を示している。図１の参照記号が、この図で使用される。外部装着パネル１３０と照明パネル（照明装置）１１０の間のねじ切りされた連結部１７０および１７２が、示されている。
【００３１】
[0041]図６は、筺体天蓋１５４の側部Ｃ〜Ｄに対して平行な切断平面に沿って切り取られた、図１の器具１００の別の断面である。図１の参照記号が、この図で使用される。
[0042]図７は、本開示の例示的な実施形態による、連結板７００の上面図（Ａ）および底面図（Ｂ）それぞれを示す図の組を含む。連結板７００は、適切な材料、たとえば金属薄板から作製された本体７０２を含み、開口部または開口７０４を含む。いくつかの締結具構造、たとえば（ねじ切りされたまたはねじ切りされていない）穴７０６は、連結板７００の外側周囲の周りに位置することができる。いくつかの締結具構造、たとえば（ねじ切りされたまたはねじ切りされていない）穴７０８は、開口７０４の内側周囲の周りに位置することができる。穴、たとえば７０８は、関連付けられる表面またはタブを有することができる。図（Ａ）に示されているように、開口７０４の内側周囲は、タブまたはフランジを有することができ、このタブまたはフランジは、本体７０２から離れてかつほぼ平行に離間された支持表面７１０をもたらす。そのような表面７１０は、（たとえば、連結板が嵌合するように設計された、または適合されたものである）関連する筺体のフランジ（または内面）と連結するために使用され得る。
【００３２】
[0043]図８は、本開示の例示的な実施形態による、外部装着パネル８００の上面図（Ａ）および底面図（Ｂ）それぞれを示す図の組を含む。外部装着パネル８００は、適切な材料、たとえば金属薄板から作製された本体８０２を含む。いくつかの締結具穴（８０４）が存在して、関連する連結板、たとえば図７の板７００との連結を容易にする場合もある。
【００３３】
[0044]図８はまた、鍵穴８０４’が使用され得ることも示している。そのような穴は、外部装着板８００および任意の取り付けられた照明パネル（図示されず）をすばやく取り付けることを可能にすることができる。開口／穴８０６が設けられ、外部装着パネルを照明パネルに（構造的および／または電気的に）連結することを可能にすることができる。
【００３４】
[0045]図９は、本開示の例示的な実施形態による、照明器具９００の分解図を示している。照明器具９００は、照明パネル９１０、任意選択の装着板９３０、駆動装置箱９６０、および駆動装置の引き上げ装置９９０を含む。照明パネル９１０は、１つまたは複数の光源を含む照明ユニットを含む。１つの例示的な実施形態では、照明ユニットは、図４に示されるように、市販されているＬＥＤの配列を含む。ＬＥＤから発せられた光は、任意選択で、光学部品、反射体または同様のもの（図示されず）によって方向付けられてもよい。
【００３５】
[0046]１つの例示的な実施形態では、照明器具９００は、一般的なガソリンスタンドまたは同様のものなどの石油補給ステーション上に光を投じるために天蓋９５４（明確にするために一部しか示されていない）に装着され得る。しかし、本開示の照明器具９００は、これが装着される構造体、またはその構造体を取り巻く環境に限定されない。たとえば、照明器具９００は、代替的には、事務所または倉庫内の吊天井または歩道を照らす下端（ｓｏｆｆｉｔ）に装着されてもよい。
【００３６】
[0047]図９に示された照明器具９００は、駆動装置の引き上げ装置９９０によって引き上げられた、引き上げられた駆動装置箱９６０を備える。装着板９３０は、照明パネル９１０に、これらの間に天蓋９５４を挟むようにして固定される。この示された実施形態では、締結具９７２および９７２’は、天蓋９５４内の既存の穴９９５およびガスケット９７４を用いて、天蓋９５４を照明パネル９１０に固定する。中央連結部９７０は、穴９９５を貫通する駆動装置の引き上げ装置９９０を介して駆動装置箱９６０に連結され得る。駆動装置の引き上げ装置９９０は、中空であることができ、照明パネル９１０と駆動装置箱９６０内に収容された駆動装置との間の電気接続を容易にする。他の例示的な実施形態では、駆動装置の引き上げ装置９９０は、（図１０Ａおよび１０Ｂのように）装着板９３０を有さない照明器具と共に、天蓋以外の構造体に取り付けるために使用され得る。
【００３７】
[0048]駆動装置箱９６０は、形成された金属薄板、成形プラスチックまたは他の構造物から製造され、駆動装置（図示されず）を収容して照明パネル９１０内の光源に電力供給することができる。光源がＬＥＤである場合、駆動装置は、同時係属の米国特許出願第１２／１１２，１０１号および同第１２／５８２，６５４号で説明されたタイプのものになることができ、これらの文献全体は、参照によって本明細書に組み込まれる。天蓋９５４に取り付けられると、駆動装置箱９６０は、雨、雪、太陽などの要素に対して直接暴露されることになる。駆動装置の引き上げ装置９９０は、標準的な電気導管からなることができる。１つの実施形態では、駆動装置の引き上げ装置９９０は、標準的な１．２７ｃｍ（０．５インチ）の取引サイズの導管からなる。駆動装置９９０は、代替的には、任意の他の適切な構造物を備えることができる。照明器具９００の駆動装置箱、導管、およびすべての他の要素は、すべての適用可能な法規および法令に適合するように構築されなければならない。
【００３８】
[0049]１つの任意選択の実施形態では、駆動装置箱９６０は、開放可能になるように構成され、それによって必要な場合および必要に応じて駆動装置に接近することを可能にする。１つの例では、駆動装置箱９６０は、互いにヒンジ連結された２つの部分からなることができる。これらの部分は、当業者によって認識されるようにさまざまな形態をとることができる。１つの例では、第１の部分は、駆動装置箱９６０の底部の２つの縦長の側部を含んでおり、第２の部分は、駆動装置箱９６０の上部と駆動装置箱９６０のより短い側部を含んで、駆動装置箱９６０が閉じられたときに逆Ｕ字形を形成する。２つの部分は、１つの実施形態では互いにヒンジ連結され、この場合、第２の部分のより短い側部の一方の端部は、図１０Ａに示された駆動装置箱９６０の下側の右手コーナなどにおいて第１の部分と交わる。この任意選択の形状では、第２の部分は持ち上げられ、ヒンジ周りで回転して、駆動装置箱９６０および封入された駆動装置の内側を暴露することができる。
【００３９】
[0050]駆動装置の引き上げ装置９９０は、ねじ切りされたまたは他の連結部によって駆動装置箱９６０および照明パネル９１０に連結される。たとえば、駆動装置の引き上げ装置９９０の端部は、駆動装置箱９６０の金属薄板の抜き穴（ｋｎｏｃｋｏｕｔ）内にねじ込みされ挿入され、このとき係止ナットが、駆動装置箱の抜き穴の周囲の両側に挟まれて駆動装置箱９６０を駆動装置の引き上げ装置９９０に対して所定位置に係止する。駆動装置の引き上げ装置９９０は、同様の方法で照明パネル９１０に連結され得る。ナットは、駆動装置の引き上げ装置９９０に事前に組み付けられ固定されて、取り付け現場における組み立ての必要性を解消することもできる。１つの実施形態では、駆動装置箱９６０および駆動装置の引き上げ装置９９０は、工場でまたは他の場所で互いに連結されて、一方が他方に連結された状態で取り付け作業者に送られ、このとき必要な配線は、取り付けをすばやくするために駆動装置の引き上げ装置９９０の外に延びている。あるいは、駆動装置の引き上げ装置９９０は、照明パネル９１０に連結された状態で取り付け作業者に送られ、駆動装置の引き上げ装置９９０から延びる配線を駆動装置箱９６０にすばやく接続することを容易にして、これらの要素が天蓋９５４を挟んだ後に連結を完了することができる。
【００４０】
[0051]一部の場合では、本開示の照明器具９００は、前から存在する照明器具を取り換えるために使用されてもよい。前から存在する照明器具は、通常、電気導管９９７を介してその照明器具まで伸びる電気配線を有しており、この電気導管９９７は、既存の器具の一部分と連結するように配置されている。本開示の照明器具９００の駆動装置箱９６０は、取り換えられる対象の前から存在する器具の部分より小さくなることがあり、それにより、前から存在する器具まで伸びる電気導管９９７は、本開示の照明器具９００に容易に連結することができない。そのような場合、駆動装置の引き上げ装置９９０は、駆動装置箱９６０を持ち上げ、それによって駆動装置箱９６０内の導管穴９９３を、前から存在する導管９９７または前から存在する照明器具のための所定位置にある他の設備と位置合わせすることにより、取り付けの簡便性および照明器具９９０の万能性を増大させる。
【００４１】
[0052]駆動装置の引き上げ装置９９０は、特定の知られている既存の照明器具、つまりその設備が知られている測定値まで引き上げられる、照明器具の取り換えに合わせて工場でサイズ設定され得る。あるいは、駆動装置の引き上げ装置９９０は、駆動装置の引き上げ装置９９０の現場でのサイズ設定を容易にするように調整可能な場合もある。調整可能性の１つの例では、駆動装置の引き上げ装置９９０は、サイズに合わせて取り付け作業者によって切断され得る。
【００４２】
[0053]別の実施形態では、本開示の駆動装置の引き上げ装置９９０は、駆動装置箱９６０を天蓋９５４の上面から引き上げて貯留水から引き上げる役割を果たす。貯留水は、天蓋９５４の上面または類似の場所に発生して、電気短絡または他の問題の可能性を生じさせ得る。駆動装置箱９６０を引き上げることにより、駆動装置箱９６０、およびその中に含まれた電気要素は、天蓋９５４の表面およびその上の貯留水の上方に上昇する。駆動装置箱９６０の高さは、予想される貯留水の深さにしたがって、駆動装置の引き上げ装置９９０の長さによって制御され得る。
【００４３】
[0054]図１０Ａおよび１０Ｂは、装着板９３０を用いない図９の照明器具の正面図を示している。装着板９３０は、照明器具９００が使用される天蓋９５４または他の構造体内に穴９９５が存在しない用途では必要ではない。たとえば、図１０Ａおよび１０Ｂの照明器具は、締結具９７２および９７２’を受け入れ、照明パネル９１０を天蓋９５４に固定することを可能にするための穴を天蓋９５４に作り出すだけで、装着板９３０を有することなく天蓋９５４内に取り付けられ得る。
【００４４】
[0055]したがって、本開示の実施形態は、従来の技術に対して利益をもたらすことができる。たとえば、本開示の実施形態は、改良された照明を光源および電力制御ユニットと共に、ＨＩＤ筺体などの前から存在する光筺体内にすばやく容易に組み込むことを実現することができる。
【００４５】
[0056]特定の照明パネルが特異点を用いて説明されてきたが、他のものも本開示の範囲内で考えられる。たとえば、共同所有の米国特許出願第１２／２５４，１０４号に示され説明されるような、調整可能な照明カートリッジを有する照明パネルまたは筺体が、使用されてもよい。他の適切な照明パネルが使用されてもよい。
【００４６】
[0057]ＬＥＤを使用する際、１つまたは複数の光板、より典型的には印刷回路板（「ＰＣＢ」）が使用されてもよい。ＬＥＤを制御し電力供給するための回路もまた、ＰＣＢ上にまたは遠隔に装着され得る。１つの適切な実施形態では、ＬＥＤは白ＬＥＤであり、その各々は、１つまたは複数の蛍光体を含むコーティングに結合された窒化ガリウム（ＧａＮ）ベースの発光半導体装置を備える。ＧａＮベースの半導体装置は、青色および／または紫外線範囲の光を発し、蛍光体コーティングを励起してより長い波長光を生み出す。組み合わされる光出力は白出力に近いものである。たとえば、ＧａＮベースの半導体装置が発生させる青色光は、黄色蛍光体と組み合わされて白色を生み出すことができる。あるいは、ＧａＮベースの半導体装置が発生させる紫外線光は、白色を生み出す割合および構成で赤色、緑色、および青色の蛍光体と組み合わされ得る。さらに別の適切な実施形態では、色付きのＬＥＤが使用され、これらは、赤色光または緑色光を発するリン化物ベースの半導体装置であり、この場合これらのＬＥＤはグループとして対応する色の光を生み出す。さらに別の適切な実施形態では、所望の場合、ＬＥＤ光板は、ＰＣＢ上に、選択されたパターンで分散された赤色、緑色、および青色のＬＥＤを含んで、赤−緑−青（ＲＧＢ）色の組成構成を用いて、選択された色の光を生み出す。この後者の例示的な実施形態では、ＬＥＤ光板は、赤色、緑色、および青色のＬＥＤを選択された光強度で選択的に作動させることによって、選択可能な光を発するように構成され得る。
【００４７】
[0058]光源の１つまたは複数がＬＥＤを含むとき、この光源は、光発生ダイオードおよび関連付けられた光学部品から構成されているユニット、または光学部品を有さない光発生ダイオードから構成されているユニットでもよい。関連付けられる光学部品は、存在する場合、ダイオードに直接固着されても、ダイオードの隣の位置にあるまたはダイオードと接触する基板に別個の配置および配向手段によって固着されても、または基板またはダイオードの補助無しに位置決めされ、保持されてもよい。ＬＥＤは、任意の種類および能力のものなることができるが、好ましい実施形態では、各ＬＥＤは、広角の光分散パターンをもたらす。本開示で使用される代表的なＬＥＤは、Ｏｓｒａｍ  Ｓｙｌｖａｎｉａによって製造されるＧｏｌｄｅｎ  ＤＲＡＧＯＮ（登録商標）ＬＥＤまたはＮｉｃｈｉａ  ０８３Ｂ  ＬＥＤなどの双方向性高角度ＬＥＤとしてここでは知られている広角ＬＥＤである。これらの隣り合うＬＥＤ照明組立体の間の間隔は、双方向性高角度ＬＥＤの角度αによって決められてもよい。
【００４８】
[0059]本開示の態様が特定の実施形態に関連付けて本明細書において説明されるが、変形形態が、適用可能な技術分野の当業者によって本開示の範囲内で加えられ得ることに留意されたい。たとえば光筺体は、前から存在するものとして本明細書において説明されてきたが、本開示の実施形態は、照明器具に筺体を提供することができる。さらには、締結具は、ねじを含むものとして本明細書において説明されてきたが、他のタイプの締結具、たとえばボルト、リベット、スナップ式接続部が、その代わりにまたはこれに付加して使用されてもよい。さらには、本明細書において説明された構成要素および構造体に使用される材料は、金属または金属薄板に限定されず、たとえば、適度な強度のプラスチックおよび／または複合材料が使用されてもよい。
【００４９】
[0060]本明細書において説明されたさまざまな機能および要素は、本開示の趣旨および範囲から逸脱することなく図示されたものとは異なって区分化されてもよい。これらの実施形態に対するさまざまな改変形態が、当業者に容易に明らかになり、本明細書において定義された全体的な原理は、他の実施形態に適用されてもよい。したがって、多くの変更および改変が、本開示および特許請求される実施形態の趣旨および範囲から逸脱することなく、当業者によって加えられてもよい。
【００５０】
[0061]当業者は、本開示の実施形態および／または実施形態の一部分が、コンピュータ可読記憶媒体（たとえばハードウエア、ソフトウエア、ファームウエア、またはそのようなものの任意の組合せ）内に／これと共に実装され、１つまたは複数のネットワークを介して供給され得ることを理解するであろう。本明細書で説明されたステップは、本開示の実施形態によって利用されるおよび／または生み出される公式または数学モデルを導出、習得、あるいは算出する処理機能を含めて、１つまたは複数の適切な処理装置、たとえば適切なコード／指示を任意の適切な言語（機械依存または機械非依存）で実装する中央処理ユニット（「ＣＰＵ」）によって処理され得る。
【図１】
2013539194.tif 000003
【図２Ａ】
2013539194.tif 000004
【図２Ｂ】
2013539194.tif 000005
【図２Ｃ】
2013539194.tif 000006
【図３】
2013539194.tif 000007
【図４】
2013539194.tif 000008
【図５】
2013539194.tif 000009
【図６】
2013539194.tif 000010
【図７（Ａ）】
2013539194.tif 000011
【図７（Ｂ）】
2013539194.tif 000012
【図８（Ａ）】
2013539194.tif 000013
【図８（Ｂ）】
2013539194.tif 000014
【図９】
2013539194.tif 000015
【図１０Ａ】
2013539194.tif 000016
【図１０Ｂ】
2013539194.tif 000017
【国際調査報告】
2013539194.tif 000018
2013539194.tif 000019
2013539194.tif 000020